(57)【特許請求の範囲】
【請求項１】
植栽基盤を収容する多数の開孔を有し、長手方向に直交する方向の断面が略矩形の第１ケースと、
第１ケースを収容した状態で当該第１ケースの植栽基盤に生育する植物を外方に臨ませる開口部を有し、長手方向に直交する方向の断面が略円形であり、第１ケースを収容した状態で当該第１ケースとの間に空間部を形成する第２ケースとを備える、緑化用プランター。
【請求項２】
植栽基盤を収容する多数の開孔を有する第１ケースと、
第１ケースを収容した状態で当該第１ケースの植栽基盤に生育する植物を外方に臨ませる開口部を有し、第１ケースを収容した状態で当該第１ケースとの間に空間部を形成する第２ケースと、
上記第１ケースと上記第２ケースとの間に配設され、上記空間部を形成する間隙部材とを備える、緑化用プランター。
【請求項３】
上記第２ケースは、上記開口部が形成された上部面を開閉する機構を有し、
上部面を開放した状態で上記第１ケースを一体として取り出すことができることを特徴とする請求項１又は２記載の緑化用プランター。
【請求項４】
請求項１乃至３いずれか一項記載の緑化用プランターと、
当該緑化用プランターを内部に格納する建築物とを備え、
当該建築物の内部に格納した緑化用プランターで栽培した植物により、上記建築物上方の面を緑化したことを特徴とする緑化壁。
【発明の詳細な説明】
【技術分野】
【０００１】
本発明は、壁面や窓面、開口部といった建築物における面に対する緑化を可能とする緑化プランター及びこれを用いた緑化壁に関する。
【背景技術】
【０００２】
建築物における屋上や壁面を緑化することで、ヒートアイランド現象の緩和や省エネルギー対策が図られている。例えば壁面にネットやワイヤーといった生育補助材を取り付け、つる植物を登はん或いは下垂させる方法や、壁面に植栽基盤を直接設置する方法によって緑化されている。また、建築物における窓面や開口部に対しては、夏期の日射を遮蔽するために、ヘチマなど一年生植物によって窓面を覆う、いわゆる「緑のカーテン」が普及しつつある。
【０００３】
例えば、特許文献１や非特許文献１には、窓面や開口部を植物などで覆う場合、つる植物を植え付けるプランターと、当該植物を繁茂させるネットなど生育補助材とを組み合わせたユニットを、建物の外壁に鉄骨フレームを組んで作製した歩廊部に設置していた。この場合、上記ユニット及び上記歩廊部により建物に余計な荷重が係るといった問題に加え、建物の外観を損ねるといった問題もあった。
【０００４】
また、建物の外周壁面にプランターを設置し、ゴーヤやヘチマなど一年生のつる植物を植え付ける所謂「緑のカーテン」が普及している。例えば、当該プランターを建築物の開口部の前に設置し、この開口部にネットを貼ることで、開口部に「緑のカーテン」を配設することができる。
【０００５】
さらに、特許文献２には、「緑のカーテン」を配設するためのユニットが開示されている。特許文献２に開示されたユニットは、少なくとも根が存在する部分を断熱材で覆い、開口部を屋根状部材で覆うことによりほぼ密閉された状態のプランターで構成され、建築物屋上の壁面側に端に設置される。
【先行技術文献】
【特許文献】
【０００６】
【特許文献１】特開２００７−２４４３３９号公報
【特許文献２】特開２０１３−２４４０１５号公報
【非特許文献】
【０００７】
【非特許文献１】大成建設技術センター報第45号（2012）、50-1〜50-4
【発明の概要】
【発明が解決しようとする課題】
【０００８】
上述のように、壁面や窓面、開口部といった建築物における面に対する緑化は、植物を栽培するためのプランターを適切な位置に配置し、管理者による適切な維持管理により植物を適切に生長させていた。しかしながら、従来のプランターでは、建築物における面に対して十分に緑化するには植物の維持管理に係る作業量が多く、また緑化した後の維持管理にも手間が多くかかるといった問題があった。そこで、本発明は、壁面や窓面、開口部といった建築物における面に対する緑化に際して維持管理の手間を大幅に軽減することができる緑化用プランター及びこれを用いた緑化壁を提供することを目的とする。
【課題を解決するための手段】
【０００９】
上述した目的を達成した本発明は以下を包含する。
（１）植栽基盤を収容する多数の開孔を有する第１ケースと、
第１ケースを収容した状態で当該第１ケースの植栽基盤に生育する植物を外方に臨ませる開口部を有し、第１ケースを収容した状態で当該第１ケースとの間に空間部を形成する第２ケースとを備える、緑化用プランター。
（２）上記第２ケースは、上記開口部が形成された上部面を開閉する機構を有していることを特徴とする（１）記載の緑化用プランター。
（３）上記（１）又は（２）記載の緑化用プランターと、
当該緑化用プランターを内部に格納する建築物とを備え、
当該建築物の内部に格納した緑化用プランターで栽培した植物により、上記建築物上方の面を緑化したことを特徴とする緑化壁。
（４）上記建築物は腰壁であり、上記建築物上方の面は窓部又は開口部であることを特徴とする（３）記載の緑化壁。
（５）端部で互いに連結した複数の上記緑化用プランターを備えることを特徴とする（３）記載の緑化壁。
（６）上記建築物の上方に配設した、植物の支持部材を有することを特徴とする（３）記載の緑化壁。
【発明の効果】
【００１０】
本発明に係る緑化用プランター及びこれを用いた緑化壁は、植栽基盤に植栽された植物の環境を良好に維持することができるため、建築物の緑化に際して管理者の維持管理の手間を大幅に削減することができる。よって、本発明によれば、壁面や窓面、開口部といった建築物における面に対する緑化を簡便な手段により低コストに実現することが可能となる。
【図面の簡単な説明】
【００１１】
【図１】本発明に係る緑化用プランターを使用した緑化壁を示す要部斜視図である。
【図２】本発明に係る緑化用プランターを使用した緑化壁を示す要部断面図である。
【図３】本発明に係る緑化用プランターにおける植栽基盤と第１ケースとを示す要部斜視図である。
【図４】本発明に係る緑化用プランターの要部分解斜視図である。
【図５】本発明に係る緑化用プランターの要部断面図である。
【図６】本発明に係る他の緑化用プランターの要部分解斜視図である。
【図７】本発明に係る緑化用プランターを複数連結した状態を示す要部断面図である。
【図８】本発明に係る他の緑化用プランターの要部断面図である。
【発明を実施するための形態】
【００１２】
以下、本発明に係る緑化用プランター及びこれを用いた緑化壁について、図面を参照しながら詳細に説明する。
図１及び２に示すように、緑化用プランター１は、内壁パネル２と外壁パネル３とから構成される腰壁４内に配設されている。なお、本例では、緑化用プランター１を腰壁４内に配設する例を説明するが、本発明はこの形態に限定されるものではない。例えば、緑化用プランター１は、図示しないが、窓面近傍の床面の内部に配設しても良い。すなわち、緑化用プランター１は、腰壁４の中や図示しない床面の内部といった建築物の内部に配設されることによって、当該建築物の上方にある開口部等の壁面を緑化することができる。
【００１３】
本例で示す緑化用プランター１は、腰壁４内に配設されることで、腰壁４上方の窓面等の開口部５を緑化するものである。ここで、開口部５とは、窓面等の外光を取り込むことができる壁を意味する。よって、開口部５は、開閉動作可能な硝子窓でも良いし、はめ込み式の硝子窓でも良い。また、開口部５は、硝子等の部材を有しない、窓枠（サッシ）のみから構成されるものであっても良い。
【００１４】
また、本例において緑化用プランター１は、内壁パネル２と外壁パネル３との間に配置されたＨ鋼６上に配設された排水パン７上に載置されており、この状態で上板パネル８により覆われている。排水パン７に設けられる排水口は側面に設置し、水が底面に溜まるようにすることが好ましい。上板パネル８は、雨水の利用、空気の交換を図る必要性から、多数の開孔のあるパネルが好ましい。
【００１５】
さらに、本例の緑化用プランター１を使用する場合、緑化対象の開口部５には、植物を支持するための支持部材として、ワイヤーや化学繊維からなる複数本の登はん用ロープ９が開口部５の上端と下端との間に張られている。本例では、登はん用ロープ９が交差するように（Ｘ字となるように）張られている。複数の登はん用ロープ９は、例えば、開口部５の上端と下端の間に平行に張られても良い。また、複数の登はん用ロープ９は、開口部５の上端と下端の間及び開口部５の右端と左端との間に、交差するように張られても良い。
【００１６】
なお、植物を支持するための支持部材としては、複数本の登はん用ロープ９に限定されず、例えば、開口部５全体或いは一部を覆う網を使用することもできる。また、植物を支持するための支持部材としては、緑化用プランター１にて植栽する植物が登はん性植物（つる植物等）である場合には登はん用ロープ９を支持部材として使用すればよいが、登はん性を有しない植物である場合には通常のロープと当該ロープに植物を固定する器具を支持部材として使用すればよい。ロープに植物を固定する器具としては、針金や、ビニール被覆針金等を使用することができる。
【００１７】
以下、緑化用プランター１について詳述する。図３〜５に詳細に示すように、緑化用プランター１は、植物１０を植栽する植栽基盤１１ａ及び１１ｂと、植栽基盤１１ｂを収容する多数の開孔を有する第１ケース１２と、第１ケース１２を収容した状態で第１ケース１２の植栽基盤１１ａに生育する植物１０を外方に臨ませる植栽用開口部１３を有し、第１ケース１２を収容した状態で第１ケース１２との間に空間部１４を形成する第２ケース１５とを備える。
【００１８】
植物１０としては、上述のように登はん性を有する植物及び登はん性を有しない植物のいずれを使用しても良いが、開口部５の緑化が簡易であることから登はん性を有する植物を使用することが好ましい。登はん性を有する植物としては、特に限定されないが、ヘデラ・カナリエンシス、ヘデラ・ヘリックス cv. ピッツバーグ、ヘデラ・ヘリックス cv. ゴールデンチャイルド、ヘデラ・ヘリックス cv. グレーシャ、カロライナ・ジャスミン、スイカズラ、テイカカズラ、ビグノニア、ツキヌキニンドウ及びクレマチスを挙げることができる。また、植物１０としては、単一の種類を用いても良いが、複数の種類を組み合わせて使用しても良い。
【００１９】
植栽基盤１１ａ及び１１ｂは、上述した植物１０を植栽できる材料であれば特に限定されない。植栽基盤１１ａ及び１１ｂとしては、特に、有機性あるいは無機性の繊維分からなる人工土壌を使用することが好ましい。この人工土壌は、特に保水性や排水性に優れ、且つ、毛細管が連通した形状となるために植物１０の根を拡げる機能がある。また、人工土壌を使用することで、植栽基盤１１ａ及び１１ｂ自体に強度を付与することができ、形状を保持することができる。より具体的に、人工土壌としては、例えば、ピートモス等の有機性繊維に熱融着性のあるプラスチック繊維を混合し、高温高圧で蒸し上げて成型した人工土壌（商品名：エクセルソイル（みのる産業株式会社製））や、鉱物に由来する繊維をバインダーによって成型したロックウールを使用することが好ましい。
【００２０】
植栽基盤１１ａ及び１１ｂは、複数の植栽基盤１１ａが植栽基盤１１ｂに組み合わされることで全体として一つの部材を形成する。ここで植栽基盤１１ａ及び１１ｂは、それぞれ同じ材料から成形しても良いし、互いに異なる材料から成形しても良い。また、複数の植栽基盤１１ａを植栽基盤１１ｂに組み合わせるような構成に限定されず、これら複数の植栽基盤１１ａ及び植栽基盤１１ｂを一体に構成しても良い。
【００２１】
植栽基盤１１ｂは、長手方向に並列した複数の植栽基盤１１ａを嵌め込む、長手方向に並列した複数の凹部１６を有している。植栽基盤１１ａは、凹部１６の形状に応じて略箱形に形成されたポットであり、植物１０が定植されている。植栽基盤１１ａとしては、例えば、商品名：エクセルキューブ（みのる産業株式会社製）及びやさいはなポット（日本ロックウール株式会社製）を使用することができる。
【００２２】
緑化用プランター１において、植栽基盤１１ａ及び１１ｂは、多数の開孔を有する第１ケース１２に収容される。第１ケース１２は、例えば、植栽基盤１１ｂの形状に合わせた形状であって、植栽基盤１１ｂの凹部１６が形成された面以外の面を覆うような樋形状となっている。第１ケース１２は、多数の開孔を有するため、収容した植栽基盤１１ｂに張り巡らされた植物１０の根に酸素を供給することができ、且つ根腐れを防止することができる。ここで、多数の開孔を有するとは、例えば、切削加工や穴開け加工等により複数の開孔が形成されることを含む意味である。多数の開孔を有する第１ケース１２としては、ステンレス製のエキスパンドメタルやパンチングメタル、有孔プラスチック板等を使用することが好ましい。なお、第１ケース１２をステンレス製や樹脂製とすることで耐腐蝕性が向上することとなり、第１ケース１２を長期間に亘って使用することが可能となる。
【００２３】
緑化用プランター１において、植栽基盤１１ａ及び１１ｂを収容した第１ケース１２は、第２ケース１５に収容される。第２ケース１５内に植栽基盤１１ｂを収容した第１ケース１２を収容すると、第１ケース１２と第２ケース１５との間に空間部１４が形成される。この空間部１４により、植栽基盤１１ｂ中の水分量を適度に保つことができ、根腐れを防止することができる。特に、第２ケース１５を塩化ビニル管で作製した場合には、空間部１４の気密性をより高めることができ、植栽基盤１１ｂ中の水分量をより適度に保つことができ、根腐れを確実に防止することができる。
【００２４】
なお、本例の緑化用プランター１において、第１ケース１２は、その長手方向に対して直行する方向の断面形状が略矩形であり、第２ケース１５における同断面形状が略円形であることから、第１ケース１２を第２ケース１５内に収容するだけで空間部１４を形成することが可能である。例えば、植栽基盤１１ｂの上記断面形状が60mm×50mmとすると、第２ケース１５の上記断面形状を内径80mmの円形とすることが好ましい。
【００２５】
また、本例の緑化用プランター１において、植栽基盤１１ａ及び１１ｂを収容した第１ケース１２は、植栽基盤１１ａに生育する植物１０を外方に臨ませる植栽用開口部１３を有している。植栽用開口部１３の形状は、外方に臨ませる植栽基盤１１ａの外形形状と同形でやや大とされるが、植栽基盤１１ａを外方に臨ませることができれば、植栽基盤１１ａの外形形状とは異なる形状であっても良い。なお、植栽用開口部１３の大きさは、特に限定されないが、植栽基盤１１ａが52mm角である場合、例えば70mm角とすることができる。また、植栽用開口部１３の間隔は、特に限定されないが、例えば200mmとすることができる。
【００２６】
植栽用開口部１３から植栽基盤１１ａに生育する植物１０を外方に臨ませることで、植物１０（特に、つる植物）の根元における分枝が過繁茂することを防止することができる。言い換えると、つる植物等の植物１０の根元まで覆ってしまうと、密閉された中で分枝が過繁茂してしまい、植物が衰退する要因の一つとなってしまう。植栽用開口部１３から植栽基盤１１ａに生育する植物１０を外方に臨ませることで、分枝が自由に繁茂でき植物１０を長期間に亘って良好に生育することができる。また、植栽基盤１１ａが外方に露出することで、植栽基盤１１ｂ中の余分な水分が蒸散するようになり、第２ケース１５内が過湿になることを防止することもできる。
【００２７】
以上のように構成された緑化用プランター１は、例えば、予め植物１０を定植した植栽基盤１１ａを準備しておき、植栽基盤１１ｂを収容した第１ケース１２を第２ケース１５内に収容した状態で、準備しておいた植栽基盤１１ａを凹部１６に嵌め込むことで作製することができる。なお、植物１０は、植栽基盤１１ａに予め定植しておく必要はなく、例えば緑化用プランター１を腰壁４に設置した後、植物１０を植栽基盤１１ａに定植しても良い。
【００２８】
なお、植物１０に対する給水にあたっては、管理者が適宜行っても良いが、図示しない給水システムを利用することもできる。給水システムとしては、例えば、腰壁４内に緑化用プランター１に沿って配設された給水管及び当該給水管から導出された点滴チューブからなるシステムを利用することができる。点滴チューブは、植栽用開口部１３から外方に臨む植栽基盤１１ａに対応する位置に配設され、植栽基盤１１ａに定植された植物１０に対して適宜水を与えることができる。
【００２９】
ところで、本発明に係る緑化用プランター１は、図４に示したように、第１ケース１２の断面形状を略矩形とし、第２ケース１５の断面形状を略円形とすることで空間部１４を形成していた。しかしながら、本発明に係る緑化用プランター１は、このような構成に限定されず、例えば、図６に示すように、略矩形の断面形状を有する第１ケース１２と、第１ケース１２と同形である略矩形の断面形状を有する第２ケース２０と、第１ケース１２と第２ケース２０との間に配設された間隙部材２１とを有する構成であっても良い。間隙部材２１は、第１ケース１２の長手方向に沿って配設されることで、第１ケース１２と第２ケース２０との間に空間部１４を形成することができる。ここで、間隙部材２１は、植栽基盤１１ｂの上記断面形状を60mm×50mmとすると、径5mmほどの丸棒を使用することができる。なお、間隙部材２１は、例えば、溶接等の方法によって第１ケース１２及び第２ケース２０のいずれかに固定されていても良いし、第１ケース１２及び第２ケース２０とは異なる独立した部材とすることもできる。図６に示した構成の緑化用プランター１でも、空間部１４により、植栽基盤１１ｂ中の水分量を適度に保つことができ、根腐れを防止することができる。
【００３０】
また、本発明に係る緑化用プランター１は、所定の長さとなるように寸法を定めて作製し、緑化対象の開口部５の寸法に応じて複数本を使用することが好ましい。すなわち、緑化用プランター１の長さは、腰壁４など建築物のモジュールによって任意に設定できるが、植栽基盤１１ｂ内の毛細管が連通していることと、また、植栽基盤１１ｂの強度や植栽基盤１１ｂを囲う第１ケース１２の強度に配慮して、1〜2mとすることが望ましい。このように、所定の長さの緑化用プランター１を複数使用する場合、例えば、図７に示すような連結機構３０を使用することが好ましい。この連結機構３０を使用することによって、複数の緑化用プランター１を簡便に連結することができる。複数の緑化用プランター１を連結機構３０により連結する場合、根詰まり等の原因で植替えするような場合でも、所定の緑化用プランター１のみを簡単に取り外すことができるためメンテナンス作業をより簡単に行うことができる。
【００３１】
連結機構３０は、第２ケース１５の外径寸法よりやや大径の連結管３１と、連結管３１の内側に形成した凹溝３２に嵌め込まれた複数のＯリング３３とから構成されている。このように構成された連結機構３０は、両端部から一対の緑化用プランター１を押圧しながら嵌め込むことで、これら一対の緑化用プランター１を連結することができる。
【００３２】
さらに、本発明に係る緑化用プランター１は、図８（ａ）及び（ｂ）に示すように、開閉する機能を有する第２ケース１５を使用することができる。図８に示した第２ケース１５は、底部４０と、一対の側部４１と、これら底部４０と一対の側部４１との間に配設された回転支持部材４２とから構成されている。また、一対の側部４１は、それぞれ係合部４３を有している。すなわち、図８（ａ）に示したように、係合部４３により、一対の側部４１を閉じた状態に維持することができる。
【００３３】
図８に示した第２ケース１５を使用することで、植栽基盤１１ａ及び１１ｂを収容した第１ケース１２を第２ケース１５から簡単に取り外すことができる。植栽基盤１１ａに定植した植物１０は、生育するに従って植栽基盤１１ｂ内に根を伸長させる。よって、植物１０が十分に成長した段階では、植栽基盤１１ａを植栽基盤１１ｂから取り外すと根が引きちぎられることとなる。図８に示した第２ケース１５を利用することで、十分に生育した植物１０の根を痛めることなく、植栽基盤１１ａ及び１１ｂを収容した第１ケース１２を一体として第２ケース１５から取り外すことができる。
【００３４】
以上、詳細に説明したように、本発明に係る緑化用プランター１は、窓面等の開口部５をつる植物によって被覆する際、腰壁４など開口部５周辺の建築物の中に格納することができるため、建物の外観を損なうことがない。また、緑化用プランター１を取り付けるために、新たに建物の外壁に鉄骨フレームを組む必要がなく、建物へ余計な荷重負荷をかけることがない。また、本発明に係る緑化用プランター１を利用する場合、室内側からメンテナンスができる。
【００３５】
さらに、緑化用プランター１は、通気性を有する第１ケース１２が植栽基盤１１ａ及び１１ｂを収容し、第２ケース１５が第１ケース１２を収容する構成としているため、植栽基盤１１ａ及び１１ｂ中の水分量が適度に維持されることから、従来のプランターを使用する場合と比較してメンテナンス作業が少なくても、過湿による根腐れの発生を抑制することができ、植物を健全に育成することができる。
【００３６】
なお、本発明に係る緑化用プランター１は、上述のように内装の一部として、窓面等の開口部５に対して緑化する、すなわち窓面等の開口部５を緑化壁とする例を説明した。しかし、本発明に係る緑化用プランター１は、開口部５に使用する例に限定されず、建築物の壁面であれば如何なる壁面を緑化する際にも使用することができる。例えば、本発明に係る緑化用プランター１は、外壁の一部を緑化する際に使用することができるし、開口部５ではない通常の内壁を緑化する際に使用することもできる。例えば、本発明に係る緑化用プランター１を外壁に使用する際には、図１に示した例のように、緑化対象の外壁に腰壁を設置し、その腰壁内に配設すればよい。このように、本発明に係る緑化用プランター１は、建築物の壁面であれば如何なる場所にも設置することができ、如何なる壁面も緑化することができる。
【実施例】
【００３７】
以下、実施例を用いて、本発明を更に詳細に説明するが、本発明の技術的範囲は以下の実施例に限定されるものではない。
【００３８】
〔実施例１〕
図１に示したような、幅１００ｍｍほどの腰壁４に格納可能な緑化用プランター１を用いて、つる植物を栽培することが可能なのか、また、植栽基盤１１ａ及び１１ｂに適した人工土壌及び植栽基盤１１ａ及び１１ｂを覆う第１ケース１２の素材を検討するために、２つの試験区を設けた。まず、植栽基盤１１ａ及び１１ｂを構成する人工土壌として、ピートモス（有機性繊維）を熱融着性のプラスチック繊維で固形化した商品名：エクセルソイルと、鉱物由来繊維をバインダーによって成形したロックウールの２種類の材料を選定した。次いで、植栽基盤１１ｂの大きさを奥行き６０ｍｍ、高さ５０ｍｍ、幅２，０００ｍｍとして、その植栽基盤１１ｂを覆う樋状の第１ケース１２を、２種類の材料、すなわちステンレス製のエキスパンドメタル（商品名：フラットMESH，厚さ１〜１．２ｍｍ，網目１０×２０ｍｍ）と、厚さ１〜１．２ｍｍのステンレス製パンチングメタル（孔径１０ｍｍ、空隙率５０％）を用いて製作した。なお、２つの試験区の構成として、試験区１の植栽基盤１１ｂはエキスパンドメタル製の第１ケース１２にエクセルソイルを充填したもの、試験区２はパンチングメタル製の第１ケース１２にロックウールを充填したものを用いた。
【００３９】
第１ケース１２に収められた植栽基盤１１ｂを、第１ケース１２を内接する内径８０ｍｍ、外径８９ｍｍ、長さ２，０００ｍｍの塩化ビニル管（第２ケース１５）にそれぞれ入れ、両端を同じく塩化ビニル製のキャップによって閉じた。次いで、塩ビ管の上面、植栽基盤１１ｂに平行する位置に２００ｍｍ間隔で６０ｍｍ角の植栽用開口部１３を設けた。この植栽用開口部１３に、カロライナ・ジャスミンやスイカズラを植え付けた５４ｍｍ角の商品名：エクセルキューブ（植栽基盤１１ａ）を植栽基盤１１ｂに接するよう設置した。なお、試験区に設置したエクセルキューブ（植栽基盤１１ａ）は、事前に巻つる性、登はん性といった生育特性を備えたカロライナ・ジャスミンやスイカズラなどの苗を植え付け、十分に根付くまで養生したものである。試験区１及び試験区２にそれぞれジャスミンを植え付けたエクセルキューブ４個、スイカズラを植え付けたエクセルキューブを４個設置した。
【００４０】
そして、植物を植え付けた２つ試験区を温室内に設置し、試験区の後ろに登はん補助材として登はん用ロープを斜め方向に張って、各試験区に植え付けたジャスミン及びスイカズラの生育を比較した。試験を開始してから１ヶ月間の各試験区に植え付けた植物における、つる伸長量を植物種ごとに平均した値を表１に示した。
【００４１】
【表１】
0006333642.tif 000002
【００４２】
表１に示すように、ジャスミンにおけるつる伸長量については、ロックウールを植栽基盤１１ｂに用いた試験区２が試験区１に比べて大きいが、いずれの試験区においても個体間でつる伸長量にバラつきが見られた。スイカズラにおけるつる伸長量については、試験区間で大きな差はなく、個体間のバラつきも小さかった。以上の結果から、植栽基盤１１ｂの構成はつる植物の生育性に大きな影響を及ぼすことがなく、植栽基盤１１ｂを第２ケース１５で覆うことによって、つる植物が問題なく育成することが明らかとなった。
【符号の説明】
【００４３】
１…緑化用プランター、２…内壁パネル、３…外壁パネル、４…腰壁、５…開口部、７…排水パン、８…上板パネル、９…登はん用ロープ、１０…植物、１１ａ及び１１ｂ…植栽基盤、１２…第１ケース、１３…植栽用開口部、１４…空間部、１５…第２ケース、１６…凹部。
【図１】
0006333642.tif 000003
【図２】
0006333642.tif 000004
【図３】
0006333642.tif 000005
【図４】
0006333642.tif 000006
【図５】
0006333642.tif 000007
【図６】
0006333642.tif 000008
【図７】
0006333642.tif 000009
【図８】
0006333642.tif 000010